(57)【要約】【課題】作業時において、視認困難な場合であっても、刃部の方向及び刃部幅を確認しながら作業可能なキュレットスケーラーを提供することを目的とする。 【解決手段】グリップ部を備えたハンドル部とシャンク部と刃部とを備えたキュレットスケーラーであって、刃部の並行延長線上のグリップ部に、ブレードゾーン部を備えたキュレットスケーラー。より好ましくは、前記キュレットスケーラであって、ブレードゾーン部の縦幅と刃部の縦幅とが対応するキュレットスケーラーとする構成としたものである。【選択図】図１
0003171161.tif 000002
【実用新案登録請求の範囲】
【請求項１】
グリップ部を備えたハンドル部とシャンク部と刃部とを備えたキュレットスケーラーであって、刃部の並行延長線上のグリップ部に、ブレードゾーン部を備えたキュレットスケーラー。
【請求項２】
ブレードゾーン部の縦幅と刃部の縦幅とが対応する請求項１記載のキュレットスケーラー。
【考案の詳細な説明】
【技術分野】
【０００１】
本考案は、刃部の位置、方向が分かるようにブレードゾーン部を備えたキュレットスケーラーに関する。
【背景技術】
【０００２】
従来のキュレットスケーラーとして、歯面や歯茎を傷つけることを少なくするための考案として、刃部をダイヤモンドや硬質セラミック焼結体とする構成、細微な超硬質粒状体を多数付着する構成など、刃部の素材を改良するものが存在する。
【０００３】
【特許文献１】実願平２―２３６７８
【考案の開示】
【考案が解決しようとする課題】
【０００４】
しかしながら、従来技術では刃部素材が原因となる歯面や歯茎への損傷を防止できるものの、歯周病治療等を行う際には、刃部を歯茎の下へ入れて歯石やプラーク（ばい菌の塊）を掻き出すので、刃部が口腔内に隠れてしまい作業詳細を視認することができず手探りの作業が必要であった。
そのため刃部がどちらの方向を向いているのか分からず、方向を見失い、歯茎を不用意に傷つけ、また、歯石やプラークを取り残す可能性もあり、治療効果が出にくいという懸念もあった。また、キュレットスケーラーでの作業は、指先での感覚に頼る細やかな作業のため、技術が熟練するまで非常に長い時間を要するという問題もある。さらには、一度でも痛い経験をした患者は、歯石除去を受けると歯茎が痛い、怖いというイメージが植えつけられるため、処置を拒み、結果として重度に進行するまで放置されるという弊害が生じる可能性もあった。
【０００５】
そこで本考案は、上記従来技術の問題点を解消することを目的とする。具体的には、キュレットスケーラ−での作業時において、口腔内作業のため視認困難な場合であっても、刃部の方向及び刃部幅を確認しながら作業可能なキュレットスケーラーを提供することを目的とする。
【課題を解決するための手段】
【０００６】
本考案は、上記課題を解決するための手段として、グリップ部を備えたハンドル部とシャンク部と刃部とを備えたキュレットスケーラーであって、刃部の並行延長線上のグリップ部に、ブレードゾーン部を備えたキュレットスケーラー（請求項１）、より好ましくは、さらに、ブレードゾーン部の縦幅と刃部の縦幅とが対応する請求項１記載のキュレットスケーラー（請求項２）とする構成としたものである。
【０００７】
上記の構成により、刃部が視認困難な状況下においても、安定した歯石除去作業を可能とするキュレットスケーラーを提供することが可能となる。
【考案の効果】
【０００８】
本考案は、上記のような構成とすることで、請求項１の手段では、視認困難な口腔内での作業下でも、ブレードゾーン部を通じて、刃部の方向・位置を視覚的に理解することが可能となる。そのため、刃部の方向を見失い、歯茎を不用意に傷つけ、歯石やプラークを取り残す可能性があるといった、歯石除去治療時の問題点を解消することができる。
【０００９】
また、ブレードゾーン部に指先を添えれば作業効率を飛躍させることが可能となる。具体的には、キュレットスケーラ−を確実に把持することによりストロークが安定し、力の伝達効率が向上するため施術者の疲労を軽減する。また、歯周治療技術経験の少ない者でも技術習得が早く可能になる。
【００１０】
また、請求項２の手段では、ブレードゾーン部の縦幅と刃部の縦幅とが対応することにより、ブレードゾーン部を見れば、刃部の深さが分かり、簡単に刃部の作業部となるカッティングエッジを感じ、歯石を把握でき、より安定した歯石除去治療を行うことが可能となる。
【００１１】
これら請求項１及び請求項２の手段によれば、患者の歯茎を傷つけることが少なくなり、早期治療や予防を希望する患者が増えることから、重度の歯周病患者の減少につながる。
【考案を実施するための最良の形態】
【００１２】
本考案のブレードゾーンを備えたキュレットスケーラーについて詳細に説明する。図１は１キュレットスケーラーに２３ブレードゾーン部を塗料により塗布した場合における構成であり、図２は本考案をより理解しやすくするため２３ブレードゾーン部を拡大した図である。１キュレットスケーラーとは、歯石の除去作業等使用される歯科器具である。１キュレットスケーラーは、２１ハンドル部、３シャンク部、４刃部によって構成される。さらに２１ハンドル部の両端には、２２グリップ部が備えられ、２２グリップ部に２３ブレードゾーン部が備えられる（図１）。
【００１３】
２３ブレードゾーン部は４刃部の並行延長線上の２２グリップ部に備えられる。２２グリップ部とは１キュレットスケーラーを把持するための構成である２１ハンドル部のうち、歯石除去治療等を行う場合に、指を添えて主に把持される部分をいう。
【００１４】
３シャンク部とは、２１ハンドル部と４刃部との間にある棒状の金属部分のことである。３シャンク部は一般に２１ハンドル部よりも直径がかなり小さく設計されており、まっすぐな構成、１か所もしくはそれ以上の場所で曲がっている構成もある。
【００１５】
４刃部とは、３シャンク部先端に備えられた刃の部分をいい、歯石除去治療等における作業部分となる。作業部分は業界においてカッティングエッジと称呼される場合もある。
【００１６】
刃部の並行延長線上とは、４刃部先端を天方向に構えた場合、４刃部から２２グリップ部方向への延長線上における２２グリップ部の上下両端の部分を意味する。
【００１７】
２３ブレードゾーン部の構成としては、２２グリップ部に塗料等を直接塗布する構成、シール等を貼付する構成、凹凸を形成する構成等がある。これらは上記の構成に限定されるものでなく、２３ブレードゾーン部を構成し、視覚化することにより目印となる構成であればよい（図２）。また、２３ブレードゾーン部の長さは特に限定されるものでなく、視覚可能な適宜の長さでよい。
【００１８】
２３ブレードゾーン部の縦幅、４刃部の縦幅とは、図２でいう縦方向の幅をいう。４刃部と２３ブレードゾーン部の縦幅が対応するとは、各部の縦幅が同一であることを意味する。もっとも、必ずしも完全同一である必要はなく、おおよそ４刃部の縦幅が確認できる構成であればよい。
【００１９】
１キュレットスケーラーは左右対称に構成されていることから、２２グリップ部、２３ブレードゾーン部、３シャンク部、４刃部も左右対称に構成されることになる（図１）。
【実施例】
【００２０】
以下実施例を示し本考案を更に詳述する。但し本考案は下記実施例に限定されるものではない。
【００２１】
図１に示す１キュレットスケーラーを用いて、口腔内における歯石除去治療を行えば、２３ブレードゾーン部が目印となり、４刃部の方向が常にどちらの方向を向いているのか、また、４刃部の縦幅がどれくらいであるのかが一目に理解可能となる。
【００２２】
歯科衛生士業界においては、従来は２３ブレードゾーン部に関係なく上下を挟み込むような持ち方が一般的であった。しかし、本考案を利用した場合、作業時に２３ブレードゾーン部に重なるように指先を添える。これにより１キュレットスケーラ−のカッティングエッジを確実に把持することが可能となり効率良く力をかけストロークが安定する。
【００２３】
２３ブレードゾーン部の応用例として、長方形状に塗りつぶし視覚化した構成、破線等によって視覚化した構成、凹凸を形成する構成がある。２３ブレードゾーン部の縦幅と４刃部の縦幅とが対応する構成により視覚化できればよいため、企業名称、企業ロゴ等を印字する構成とすることも可能である。
【産業上の利用可能性】
【００２４】
本考案のブレードゾーン部を備えたキュレットスケーラーを用いれば、刃部の方向・位置を視覚的に理解し、歯石除去治療時の患者への歯面、歯茎への損傷を防止できるキュレットスケーラ−の提供が可能となる。
【図面の簡単な説明】
【００２５】
【図１】ブレードゾーンを備えたキュレットスケーラー
【図２】ブレードゾーン部の拡大図
【符号の説明】
【００２６】
１キュレットスケーラー
２１ハンドル部
２２グリップ部
２３ブレードゾーン部
３シャンク部
４刃部
【図１】
0003171161.tif 000003
【図２】
0003171161.tif 000004
【手続補正書】
【提出日】平成23年8月17日(2011.8.17)
【手続補正１】
【補正対象書類名】実用新案登録請求の範囲
【補正対象項目名】全文
【補正方法】変更
【補正の内容】
【実用新案登録請求の範囲】
【請求項１】
グリップ部を備えたハンドル部とシャンク部と刃部とを備えたキュレットスケーラーであって、刃部からグリップ部方向への延長上のグリップ部に、刃部の方向を視覚的に理解することが可能な目印を備えたキュレットスケーラー。
【請求項２】
グリップ部に備えた刃部の方向を視覚的に理解することが可能な目印のキュレットスケーラー長手方向に直交する方向の幅と、刃部の上端から下端までの長さとが同一である請求項１記載のキュレットスケーラー。
【手続補正２】
【補正対象書類名】明細書
【補正対象項目名】０００６
【補正方法】変更
【補正の内容】
【０００６】本考案は、上記課題を解決するための手段として、グリップ部を備えたハンドル部とシャンク部と刃部とを備えたキュレットスケーラーであって、刃部からグリップ部方向への延長上のグリップ部に、刃部の方向を視覚的に理解することが可能な目印を備えたキュレットスケーラー（請求項１）、より好ましくは、さらに、グリップ部に備えた刃部の方向を視覚的に理解することが可能な目印のキュレットスケーラー長手方向に直交する方向の幅と、刃部の上端から下端までの長さとが同一である請求項１記載のキュレットスケーラー（請求項２）。